(57)【要約】【課題】塩素除去剤の層をあらかじめ貯水部分や供給流路に設けておくことにより、洗浄用水に含まれる残留塩素の除去のための作業を簡便化し、装置を大きくすることのない洗浄用水の供給を実現すること。【解決手段】タンク１０１に貯水された洗浄用水を所定の圧力でシャワー状に吐出し、頭皮などを洗浄する頭皮洗浄器１００において、タンク内面１０１ａまたは（および）タンク１０１から洗浄用水を移送する流路（移送部１０８）の内面に塩素除去成分層を形成する。【選択図】　　　図２
2004057511.tif 000002
【特許請求の範囲】
【請求項１】
タンクに貯水された洗浄用水を所定の圧力でシャワー状に吐出し、頭皮などを洗浄する頭皮洗浄器において、
前記タンクの内面または（および）前記タンクから前記洗浄用水を移送する流路の内面に塩素除去成分層を形成したことを特徴とする頭皮洗浄器。
【請求項２】
少なくとも、ノズルヘッドと、本体ケースと、洗浄用水を貯水するタンクと、前記タンクの洗浄用水に圧力および脈動を与えるポンプ部と、前記ポンプとノズルヘッドをつなぐ流路と、を備え、前記ポンプ部から送水された洗浄用水をシャワー状に吐出し、頭皮などを洗浄する頭皮洗浄器において、
前記タンクの内面、または（および）前記タンクとポンプ部とをつなぐ流路の内面、前記ノズルと前記本体ケースとを連結する流路の内面、当該流路と前記本体ケースとの結合部の内面、前記結合部の内面と前記ポンプ部とをつなぐ配管の内面に、塩素除去成分層を形成したことを特徴とする頭皮洗浄器。
【請求項３】
前記塩素除去成分層は、コーティングによって形成されることを特徴とする請求項１または２に記載の頭皮洗浄器。
【請求項４】
前記塩素除去成分層として、アスコルビン酸を用いることを特徴とする請求項１または２に記載の頭皮洗浄器。
【請求項５】
前記塩素除去成分層として、亜硫酸カルシウムを用いることを特徴とする請求項１または２に記載の頭皮洗浄器。
【請求項６】
前記塩素除去成分層として、活性炭を用いることを特徴とする請求項１または２に記載の頭皮洗浄器。
【請求項７】
前記塩素除去成分層として、多孔質セラミックを用いることを特徴とする請求項１または２に記載の頭皮洗浄器。
【発明の詳細な説明】
【０００１】
【発明の属する技術分野】
本発明は、頭皮・顔部洗浄、または口腔洗浄、浄水器などに利用可能な頭皮洗浄器に関し、より詳細には、タンクに一時的に貯水された洗浄用水を加圧すると共に脈動を与え、フレキシブルチューブ（ホース）を経由してノズルヘッドからシャワー状に吐き出す過程において、洗浄用水に含まれる残留塩素を除去する構造を有する頭皮洗浄器に関する。
【０００２】
【従来の技術】
従来より、洗浄効率やマッサージ効果、およびその利便性、快適性などに優れた頭皮洗浄器がある。一般的に、このような頭皮洗浄器は、頭皮洗浄に使用する１回分の洗浄用水をタンクに貯水し、ポンプでタンク洗浄用水を取り込んで加圧すると共に脈動を与えて脈動水流としてフレキシブルチューブ（ホース）を経由してノズルヘッドへ送水し、ノズルヘッドから洗浄用水を吐出する構成がとられている。このような頭皮洗浄器は、たとえば特開平１１−１９６９２５号公報「頭部・顔部洗浄装置」に開示されている。
【０００３】
ところで、このような頭皮洗浄器にあっては、洗浄用水として通常の水道水（湯）を使用することが多いため、髪や皮膚などへの影響を考慮した場合、その水道水に含まれる残留塩素を取り除くことが要求される。この場合、水道水中に含まれる残留塩素を瞬時に除去するために塩素除去剤としてアスコルビン酸がよく用いられる。この場合、アスコルビン酸を使用するたびに、洗浄用水に添加することは非常に面倒な作業である。そこで、一定量のアスコルビン酸を水中に放出するために、洗浄操作を行なう前に、一定期間、アスコルビン酸を水中に放出し続けることができる量を水に溶かして収納し、水溶液状態で一定量の供給が行なえるように工夫されているものが知られている。また、塩素除去のためのフィルタを外部に設ける構成のものも知られている。
【０００４】
【発明が解決しようとする課題】
しかしながら、上記に示されるような従来の頭皮洗浄器にあっては、使用開始時や一定期間使用した後などにおいて、その都度、新しいアスコルビン酸あるいは他の塩素除去剤を水に溶かしてから使用するという作業が必要であるため、ユーザにとってこの作業は非常に煩わしいものであった。また、あらかじめアスコルビン酸あるいは他の塩素除去剤を水に溶かしておくと、劣化が進むため、水溶液として安定して供給することが困難であった。
【０００５】
また、外部に塩素除去用のフィルタを設けると、その分、装置自体が大きく、かつ重くなったり、さらには操作性や設置の上で制限が生じるなどといった問題点があった。
【０００６】
本発明は、上記に鑑みてなされたものであって、塩素除去剤の層をあらかじめ貯水部分や供給流路に設けておくことにより、洗浄用水に含まれる残留塩素の除去のための作業を簡便化し、装置を大きくすることのない洗浄用水の供給を実現することを目的とする。
【０００７】
【課題を解決するための手段】
上記の目的を達成するために、請求項１にかかる頭皮洗浄器にあっては、タンクに貯水された洗浄用水を所定の圧力でシャワー状に吐出し、頭皮などを洗浄する頭皮洗浄器において、前記タンクの内面または（および）前記タンクから前記洗浄用水を移送する流路の内面に塩素除去成分層を形成したものである。
【０００８】
この発明によれば、タンクに貯水された洗浄用水を所定の圧力でシャワー状に吐き出す頭皮洗浄器において、洗浄用水の貯水タンクの内面や、その流路に、洗浄用水に含まれる残留塩素を除去する塩素除去剤の成分層を形成させておき、その塩素除去成分が、貯水後に直ちに洗浄用水に含まれる残留塩素と反応する構造とすることにより、洗浄器本体を大きくすることなく、かつ洗浄用水中の残留塩素を効果的に簡単に除去可能にすると共に、従来において必要であった塩素剤水溶液の準備作業といった煩わしい作業を排除することが可能になる。
【０００９】
また、請求項２にかかる頭皮洗浄器にあっては、少なくとも、ノズルヘッドと、本体ケースと、洗浄用水を貯水するタンクと、前記タンクの洗浄用水に圧力および脈動を与えるポンプ部と、前記ポンプとノズルヘッドをつなぐ流路と、を備え、前記ポンプ部から送水された洗浄用水をシャワー状に吐出し、頭皮などを洗浄する頭皮洗浄器において、前記タンクの内面、または（および）前記タンクとポンプ部とをつなぐ流路の内面、前記ノズルと前記本体ケースとを連結する流路の内面、当該流路と前記本体ケースとの結合部の内面、前記結合部の内面と前記ポンプ部とをつなぐ配管の内面に、塩素除去成分層を形成したものである。
【００１０】
この発明によれば、タンクに貯水された洗浄用水を所定の圧力でシャワー状に吐き出す頭皮洗浄器において、タンクの内面、または（および）タンクとポンプ部とをつなぐ流路の内面、ノズルと本体ケースとを連結する流路の内面、当該流路と本体ケースとの結合部の内面、結合部の内面とポンプ部とをつなぐ配管の内面に、塩素除去成分層を形成し、その塩素除去成分が、貯水後に直ちに洗浄用水に含まれる残留塩素と反応する構造とすることにより、洗浄器本体を大きくすることなく、かつ洗浄用水中の残留塩素を効果的に簡単に除去可能にすると共に、従来において必要であった塩素剤水溶液の準備作業といった煩わしい作業を排除することが可能になる。
【００１１】
また、請求項３にかかる頭皮洗浄器にあっては、前記塩素除去成分層は、コーティングによって形成されるものである。
【００１２】
この発明によれば、塩素除去成分層をコーティング（塗布）によって形成することにより、簡単な処理による層の形成が実現する。
【００１３】
また、請求項４にかかる頭皮洗浄器にあっては、前記塩素除去成分層として、アスコルビン酸を用いるものである。
【００１４】
この発明によれば、請求項１または２において、塩素除去成分層を形成する塩素除去剤として、アスコルビン酸を用いることにより、水に溶けやすく、瞬時に洗浄用水に含まれる残留塩素と除去反応を起こさせることが可能になる。
【００１５】
また、請求項５にかかる頭皮洗浄器にあっては、前記塩素除去成分層として、亜硫酸カルシウムを用いるものである。
【００１６】
この発明によれば、請求項１または２において、塩素除去成分層を形成する塩素除去剤として、塩素除去反応が速い亜硫酸カルシウムを用いることにより、タンクに洗浄用水を入れてすぐに洗浄操作を開始することが可能になり、かつ溶解量が微量である。
【００１７】
また、請求項６にかかる頭皮洗浄器にあっては、前記塩素除去成分層として、活性炭を用いるものである。
【００１８】
この発明によれば、請求項１または２において、塩素除去成分層を形成する塩素除去剤として、吸着力の高い活性炭を用いることにより、温水などにより再生し、繰り返し使用時における効果が期待できる。
【００１９】
また、請求項７にかかる頭皮洗浄器にあっては、前記塩素除去成分層として、多孔質セラミックを用いるものである。
【００２０】
この発明によれば、請求項１または２において、塩素除去成分層を形成する塩素除去剤として、消耗性がない多孔質セラミックを用いることにより、洗浄により再生し、繰り返し使用時における効果が期待できる。
【００２１】
【発明の実施の形態】
以下、本発明にかかる頭皮洗浄器の好適な実施の形態について添付図面を参照し、詳細に説明する。なお、本発明はこの実施の形態を一例とするものであり、これに限定されるものではない。
【００２２】
本発明の頭皮洗浄器は、タンクに貯水された洗浄用水を所定の圧力でシャワー状に吐出し、頭皮などを洗浄する際に、洗浄用水の貯水タンクの内面や、その流路に、洗浄用水に含まれる残留塩素を除去する塩素除去剤の成分層を形成させておくことにより、洗浄用水中の残留塩素を効果的にかつ簡単に除去し、従来において必要であった塩素剤水溶液の準備作業といった煩わしい作業を排除するものである。以下、これらについて具体的に説明する。
【００２３】
図１は、本発明の実施の形態にかかる頭皮洗浄器１００の外観図を示すものである。また、図２は、図１における頭皮洗浄器１００内部の概略構成を示すブロック図である。
【００２４】
これらの図に示すように、この頭皮洗浄器１００は、洗浄用水を貯水するタンク１０１と、タンク１０１から洗浄用水を取り込んで加圧すると共に脈動を与えて脈動水流として送水するポンプ部１０２と、ポンプ部１０２から送出された洗浄用水を導水する配管１０３と、配管１０３で導水された洗浄用水を導水するフレキシブルチューブ１０４と、フレキシブルチューブ１０４で導水された洗浄用水を吐出するノズルヘッド１０５と、ポンプ部１０２を駆動して洗浄用水の吐出制御を行なう制御部１０６と、を備えている。なお、図２において、符号１０１ａはタンク内面、符号１０８はタンク１０１とポンプ部１０２との間の流路である移送部を示し、符号１１０は装置全体へ電力を供給する電源（バッテリ）である。また、フレキシブルチューブ１０４との結合部１０３ａを有している。フレキシブルチューブ１０４は、配管との結合部１０４ａを有している。
【００２５】
つぎに、以上のように構成された頭皮洗浄器１００の動作について説明する。本発明の頭皮洗浄器１００を用いて洗浄を行なう場合、ユーザは、電源スイッチ（図示せず）を操作して電源を投入する。電源が投入されると、制御部１０６は、電源１１０からポンプ部１０２へ電源を供給し、ポンプ部１０２を駆動する。ポンプ部１０２は、タンク１０１から給水された洗浄用水を所定の圧力で加圧し、フレキシブルチューブ１０４を経由させてノズルヘッド１０５へ洗浄用水を送水する。ノズルヘッド１０５からは、洗浄用水がシャワー状に吐出され、ユーザはこのシャワーを頭皮などにあてて洗浄を行なう。
【００２６】
つぎに、上述した頭皮洗浄器１００において、本発明の特徴であるところの、頭皮洗浄器１００に使用する洗浄用水に含まれる残留塩素を除去する構成などについて説明する。
【００２７】
図３は、図１における頭皮洗浄器１００のタンク１０１部分を示し、その内部に塩素除去剤をコーティングした例について図示している。なお、本頭皮洗浄器１００における他の構成要素については省略してある。
【００２８】
図３に示すように、タンク内面１０１ａに沿って塩素除去剤でなる塩素除去成分層１２０をコーティングにより形成する。なお、製造時には、この塩素除去成分層１２０をコーティングした上に劣化防止のための保護シートなどを被覆させておいてもよい。また、コーティングによって塩素除去成分層１２０を形成する代わりに、塩素除去成分層１２０を薄いシート状にし、これをタンク内面に貼りつけたり、突起部分（図示せず）に嵌め込む構成であってもよい。この場合には、消耗品として交換できる利点がある。
【００２９】
さらに、上述した以外に、洗浄用水の移送部１０８などの内面に塩素除去成分層１２０ａを形成してもよい。この状態を図４に示す。これを、図３に示すような構成と合わせて取り入れることにより、残留塩素の除去をさらに効果的に行なうことができる。
【００３０】
塩素除去剤としては、たとえばビタミンＣとしてよく知られ、水に可溶なアスコルビン酸（ａｓｃｏｒｂｉｃ　ａｃｉｄ）や亜硫酸カルシウムなど反応速度が比較的速いものを用いると効果的である。また、亜硫酸カルシウムは溶解量が微量であり、長時間の使用が可能になる。また、この他に、塩素除去剤の層として、吸着性の高い活性炭や、消耗性のない多孔質セラミックなど繰り返して使用可能な材料を用いてもよい。
【００３１】
つぎに、以上のように構成された頭皮洗浄器１００では、洗浄用水をタンク１０１に貯水して洗浄操作を行なう場合、タンク内面１０１ａまたは（および）移送部１０８の内面に設けられた塩素除去成分層１２０，１２０ａに含まれる塩素除去剤が洗浄用水に溶け出し、洗浄用水に含まれる残留塩素と反応し、その塩素を除去する。
【００３２】
このように、洗浄用水を貯水するためのタンク１０１・移送部１０８に塩素除去成分層１２０，１２０ａを設け、貯水される浄用水に溶かし込むことにより、タンク１０１に洗浄用水を貯水するたびに塩素除去剤を入れたり、外部に塩素除去フィルタといったものを設ける必要がなくなる。
【００３３】
【発明の効果】
以上説明したように、本発明にかかる頭皮洗浄器（請求項１）によれば、タンクに貯水された洗浄用水を所定の圧力でシャワー状に吐き出す頭皮洗浄器において、洗浄用水の貯水タンクの内面や、その流路に、洗浄用水に含まれる残留塩素を除去する塩素除去剤の成分層を形成させておき、その塩素除去成分が、貯水後に直ちに洗浄用水に含まれる残留塩素と反応する構造としたため、洗浄器本体を大きくすることなく、かつ洗浄用水を入れるたびに用水中の残留塩素を効果的にかつ簡単に除去できると共に、従来において必要であった塩素剤水溶液の準備作業といった煩わしい作業を排除することができる。
【００３４】
また、本発明にかかる頭皮洗浄器（請求項２）によれば、タンクに貯水された洗浄用水を所定の圧力でシャワー状に吐き出す頭皮洗浄器において、タンクの内面、または（および）タンクとポンプ部とをつなぐ流路の内面、ノズルと本体ケースとを連結する流路の内面、当該流路と本体ケースとの結合部の内面、結合部の内面とポンプ部とをつなぐ配管の内面に、塩素除去成分層を形成し、その塩素除去成分が、貯水後に直ちに洗浄用水に含まれる残留塩素と反応する構造としたため、洗浄器本体を大きくすることなく、かつ洗浄用水を入れるたびに用水中の残留塩素を効果的にかつ簡単に除去できると共に、従来において必要であった塩素剤水溶液の準備作業といった煩わしい作業を排除することができる。
【００３５】
また、本発明にかかる頭皮洗浄器（請求項３）によれば、塩素除去成分層をコーティング（塗布）によって形成するため、簡単な処理によって当該成分層を形成することができる。
【００３６】
また、本発明にかかる頭皮洗浄器（請求項４）によれば、請求項１または２において、塩素除去成分層を形成する塩素除去剤として、アスコルビン酸を用いるため、水に溶けやすく、タンクに貯水した直後に、洗浄用水に含まれる残留塩素と瞬時に除去反応を起こさせることができる。
【００３７】
また、本発明にかかる頭皮洗浄器（請求項５）によれば、請求項１または２において、塩素除去成分層を形成する塩素除去剤として、塩素除去反応が速い亜硫酸カルシウムを用いることにより、タンクに洗浄用水を入れてすぐに洗浄操作を開始することができ、かつ溶解量が微量であるため、長時間の使用が可能になる。
【００３８】
また、本発明にかかる頭皮洗浄器（請求項６）によれば、請求項１または２において、塩素除去成分層を形成する塩素除去剤として、吸着力の高い活性炭を用いることにより、温水（洗浄用水）などにより再生し、繰り返して使用することができる。
【００３９】
また、本発明にかかる頭皮洗浄器（請求項７）によれば、請求項１または２において、塩素除去成分層を形成する塩素除去剤として、消耗性がない多孔質セラミックを用いることにより、洗浄により再生し、繰り返しによる使用の効果を期待することができる。
【図面の簡単な説明】
【図１】本発明の実施の形態にかかる頭皮洗浄器の外観構成を示す説明図である。
【図２】図１における頭皮洗浄器内部の概略構成を示すブロック図である。
【図３】本発明の実施の形態にかかる塩素除去成分層のタンク内面へのコーティング例を示す説明図である。
【図４】本発明の実施の形態にかかる塩素除去成分層の移送部内面へのコーティング例を示す説明図である。
【符号の説明】
１００　頭皮洗浄器
１０１　タンク
１０２　ポンプ部
１０４　フレキシブルチューブ
１０５　ノズルヘッド
１０１ａ　タンク内面
１０８　移送部
１２０，１２０ａ　塩素剤除去成分層
【図１】
2004057511.tif 000003
【図２】
2004057511.tif 000004
【図３】
2004057511.tif 000005
【図４】
2004057511.tif 000006